【手続補正書】
【提出日】平成31年3月25日(2019.3.25)
【手続補正１】
【補正対象書類名】特許請求の範囲
【補正対象項目名】全文
【補正方法】変更
【補正の内容】
【特許請求の範囲】
【請求項１】
少なくとも２つの非混合性で実質的に非磁性の流体を収容する細長い流体チャンバを含んでなる表示装置であって、上記流体の少なくとも１つはもう一方の流体とは異なる物性を有し、すなわちその液体用の少なくとも１つのＭＨＤポンプによって駆動される液体と、該液体とは異なる物性を有する非混合性の流体であり、
上記チャンバに収容される液体の特徴部の少なくとも１つはインジケータとして利用され、その特徴部は上記チャンバ内のもう一方の流体を介して、観察者から視認可能なインジケータの隣接するインデックスに沿って、直接的または間接的に少なくとも１つのＭＨＤポンプによって上記チャンバに沿って駆動され、
さらに上記表示装置は、観察者に示すために上記チャンバ内の所望の位置に特徴部を移動させるようにポンプを作動すべく協働する特徴位置センサおよびフィードバック制御部を含んでなることを特徴とする表示装置。
【請求項２】
上記特徴部位置センサは上記チャンバに渡り測定された物性または特性の差を入力として利用し、該入力を上記フィードバック制御部が特徴部の位置を所望の位置に移動する少なくとも１つのポンプを作動するのに利用することを特徴とする請求項１に記載の表示装置。
【請求項３】
上記少なくとも１つの液体の一部の制御を可能にするべく、その位置を検出するために用いられる物性は導電性であることを特徴とする請求項２に記載の表示装置。
【請求項４】
上記少なくとも１つの液体の一部の制御を可能にするべく、その位置を検出するために用いられる物性は静電容量であることを特徴とする請求項２に記載の表示装置。
【請求項５】
上記少なくとも１つの液体の一部の制御を可能にするべく、その位置を検出するために用いられる物性とは抵抗性であることを特徴とする請求項２に記載の表示装置。
【請求項６】
上記少なくとも１つの液体の一部の制御を可能にするべく、その位置を検出するために用いられる物性とは相対透明度であることを特徴とする請求項２に記載の表示装置。
【請求項７】
上記少なくとも１つの液体の一部の制御を可能にするべく、その位置を検出するために用いられる物性とは相対粘度であることを特徴とする請求項２に記載の表示装置。
【請求項８】
上記特徴部はメニスカスであることを特徴とする請求項１に記載の表示装置。
【請求項９】
上記特徴は気泡または気泡表面であることを特徴とする請求項１に記載の表示装置。
【請求項１０】
上記特徴はチャンバ内の流体中に、または流体の間に浮遊される物体であることを特徴とする請求項１に記載の表示装置。
【請求項１１】
上記少なくとも１つの液体は着色された液体であることを特徴とする請求項１に記載の表示装置。
【請求項１２】
上記少なくとも１つの液体は剛性チャンバと同じ屈折率を有することを特徴とする請求項１に記載の表示装置。
【請求項１３】
上記少なくとも１つの液体は観察者から視認可能な浮遊粒子を有することを特徴とする請求項１に記載の表示装置。
【請求項１４】
上記特徴部位置センサは、導電性感応膜であることを特徴とする請求項１に記載の表示装置。
【請求項１５】
上記細長い流体チャンバは実質的に環状の閉ループであることを特徴とする請求項１に記載の表示装置。
【請求項１６】
上記流体の動作の向きは、上記少なくとも１つのＭＨＤポンプの極性を変更することで偏向されることを特徴とする請求項１に記載の表示装置。
【請求項１７】
上記ポンプは、ポンプの操作の向きを逆にすることでチャンバ内の流量の向きを逆にする少なくとも１つの機械式ポンプであることを特徴とする請求項１に記載の表示装置。
【請求項１８】
上記少なくとも１つの液体は、該液体の少なくとも１つの特徴部の位置を観察者が確認することを可能とする、少なくとも部分的に透明な表面を有する少なくとも１つの露出した閉ループ細長いチャンバに収容され、さらに上記表示装置は、観察者から実質的に視認できないように配置された、上記流体の熱膨張および／または収縮を吸収する機構からなり、
上記熱膨張および／または収縮を吸収する機構は気密かつ水密な状態でチャンバを包囲し観察者の視野外に配置された薄く可撓性のウェハ、観察者の視野外に配置された個別のガス充填チャンバおよび観察者の視野外のチャンパの一部に配置された軟性可撓性材料からなる機構の１つの群から選択されることを特徴とする請求項１に記載の表示装置。
【請求項１９】
上記熱膨張および／または収縮を吸収する機構は、すくなくとも１つの液体におけるガス充填されたインジケータ気泡であることを特徴とする請求項１８に記載の表示装置。
【請求項２０】
上記熱膨張および／または収縮を吸収する機構は、気密かつ水密な状態でチャンバを包囲し観察者の視野外に配置された薄く可撓性のウェハ、観察者の視野外に配置された個別のガス充填チャンバおよび観察者の視野外のチャンパの一部に配置された軟性可撓性材料からなる機構の１つの群から選択されることを特徴とする請求項１８に記載の表示装置。
【請求項２１】
上記熱膨張および／または収縮を吸収する機構は、観察者の視野外に位置し、上記剛性チャンバの通路部によって上記剛性チャンバの液体充填部に接続される上記剛性チャンバのガス充填されたチャンバ部であることを特徴とする請求項１８に記載の表示装置。
【請求項２２】
表示される数は時刻であることを特徴とする請求項１に記載の表示装置。
【請求項２３】
上記表示装置は時計であることを特徴とする請求項１に記載の表示装置。
【請求項２４】
上記細長いチャンバは形状が一部線形であることを特徴とする請求項１に記載の表示装置。
【請求項２５】
上記細長いチャンバは形状が非線形、好適には円形であることを特徴とする請求項１に記載の表示装置。
【請求項２６】
少なくとも２つの非混合性で実質的に非磁性の流体を収容する細長い流体チャンバを含んでなる表示装置であって、上記流体の少なくとも１つはもう一方の流体とは異なる物性を有し、すなわちその液体用の少なくとも１つのポンプによって駆動される液体と、該液体とは異なる物性を有する非混合性の流体であり、
上記チャンバに収容される液体の特徴部の少なくとも１つはインジケータとして利用され、その特徴部は上記チャンバ内のもう一方の流体を介して、観察者から視認可能なインジケータの隣接するインデックスに沿って、直接的または間接的に少なくとも１つのポンプによって上記チャンバに沿って駆動され、
さらに上記表示装置は、観察者に示すために上記チャンバ内の所望の位置に特徴部を移動させるようにポンプを作動すべく協働する特徴部位置センサおよびフィードバック制御部を含んでなり、
上記チャンバは異なる形状の２つまたはそれ以上の材料ウェハが、好適には相互に接合されて形成されることを特徴とする表示装置。
【請求項２７】
上記材料ウェハはガラスウェハであることを特徴とする請求項２６に記載の表示装置。
【請求項２８】
上記チャンバは高分子から形成されてなることを特徴とする請求項２６に記載の表示装置。
【請求項２９】
上記チャンバは高分子を射出成型してなることを特徴とする請求項２８に記載の表示装置。
【請求項３０】
少なくとも２つの非混合性で実質的に非磁性の流体を収容する細長い流体チャンバを含んでなる表示装置であって、上記流体の少なくとも１つはもう一方の流体とは異なる物性を有し、すなわちその液体用の少なくとも１つのポンプによって駆動される液体と、該液体とは異なる物性を有する非混合性の流体であり、
上記チャンバに収容される液体の特徴部の少なくとも１つはインジケータとして利用され、その特徴部は上記チャンバ内のもう一方の流体を介して、観察者から視認可能なインジケータの隣接するインデックスに沿って、直接的または間接的に少なくとも１つのポンプによって上記チャンバに沿って駆動され、
さらに上記表示装置は、観察者に示すために上記チャンバ内の所望の位置に特徴を移動させるようにポンプを作動すべく協働する特徴部位置センサおよびフィードバック制御部を含んでなり、
上記少なくとも１つのポンプは、上記液体がいかなる操作位置にあっても確実に圧送されるように、上記細長いチャンバに沿って配置されることを特徴とする表示装置。
【請求項３１】
少なくとも２つの非混合性で実質的に非磁性の流体を収容する細長い流体チャンバを含んでなる表示装置であって、上記流体の少なくとも１つはもう一方の流体とは異なる物性を有し、すなわちその液体用の少なくとも１つのポンプによって駆動される液体と、該液体とは異なる物性を有する非混合性の流体であり、
上記チャンバに収容される液体の特徴部の少なくとも１つはインジケータとして利用され、その特徴部は上記チャンバ内のもう一方の流体を介して、観察者から視認可能なインジケータの隣接するインデックスに沿って、直接的または間接的に少なくとも１つのポンプによって上記チャンバに沿って駆動され、
さらに上記表示装置は、観察者に示すために上記チャンバ内の所望の位置に特徴部を移動させるようにポンプを作動すべく協働する特徴部位置センサおよびフィードバック制御部を含んでなり、
上記液体がいかなる操作位置にあっても確実に圧送されるように、少なくとも２つのポンプが上記細長いチャンバに沿って配置されることを特徴とする表示装置。
【請求項３２】
少なくとも２つの非混合性で実質的に非磁性の流体を収容する細長い流体チャンバからなる表示装置であって、上記流体の少なくとも１つはそのような導電性液体用のポンプによって駆動される導電性液体で、もう一方は非混合性の比較的非導電性の流体であり、
上記チャンバ内に収容される上記液体の少なくとも１つの特徴部はインジケータとして利用され、上記特徴部はポンプによって、上記チャンバ内のもう一方の流体を介して直接的または間接的に観察者に視認可能なインジケータの隣接するインデックスに沿って駆動され、
さらに上記表示装置は、観察者に数を示すために上記チャンバ内の所望の位置に上記特徴部を移動させるようにポンプを作動すべく、協働する特徴部位置センサおよびフィードバック制御部を含んでなることを特徴とする表示装置。
【請求項３３】
本明細書および／または添付の図面で説明され、参照により本願に組み込まれた文献で請求および／または説明された要素と組み合わされた装置。
【請求項３４】
少なくとも２つの非混合性で実質的に非磁性の流体を収容する細長い流体チャンバを含んでなる表示装置であって、上記流体の少なくとも１つはもう一方の流体とは異なる物性を有し、すなわちその液体用の少なくとも１つのＭＨＤポンプによって駆動される液体と、該液体とは異なる物性を有する非混合性の流体であり、
上記チャンバに収容される液体の特徴部の少なくとも１つはインジケータとして利用され、その特徴部は上記チャンバ内のもう一方の流体を介して、観察者から視認可能なインジケータの隣接するインデックスに沿って、直接的または間接的に少なくとも１つのＭＨＤポンプによって上記チャンバに沿って駆動され、
さらに上記表示装置は、観察者に示すために上記チャンバ内の所望の位置に特徴部を移動させるようにポンプを作動すべく協働する特徴部位置センサおよびフィードバック制御部を含んでなることを特徴とする表示装置。
【請求項３５】
少なくとも２つの非混合性で実質的に非磁性の流体を収容する細長い流体チャンバを含んでなる表示装置であって、上記流体の少なくとも１つはもう一方の流体とは異なる物性を有し、すなわちその液体用の少なくとも１つの機械式ポンプによって駆動される液体と、該液体とは異なる物性を有する非混合性の流体であり、
上記チャンバに収容される液体の特徴部の少なくとも１つはインジケータとして利用され、その特徴部は上記チャンバ内のもう一方の流体を介して、観察者から視認可能なインジケータの隣接するインデックスに沿って、直接的または間接的に少なくとも１つのＭＨＤポンプによって上記チャンバに沿って駆動され、
さらに上記表示装置は、観察者に示すために上記チャンバ内の所望の位置に特徴部を移動させるようにポンプを作動すべく協働する特徴部位置センサおよびフィードバック制御部を含んでなり、
上記ポンプは機械式であり、該機械式ポンプの操作の向きを逆にすることでチャンバ内の流量の向きを逆にすることを特徴とする表示装置。